(57)【要約】【課題】アクセサリー本体の簡単な加工成形によるストレートの挿入孔によって、アクセサリー本体に組み合わせる装飾体表面の模様が露出しない状態となって装飾体をアクセサリー本体に強固に固定できるようにする。【解決手段】透明な合成樹脂製板を駒状に刳り抜き、表面に所定の模様４を印刷してなる装飾体３と、該装飾体３を挿入する挿入孔２を設けたアクセサリー本体１とから成る。挿入孔２に挿入した装飾体３は、当該装飾体３の上から凸レンズ状に厚盛るようにして挿入孔２に充填した透明な熱硬化性樹脂材６により接着固定する。装飾体３は、透明なアクリル板をカット装置Ｌにより駒状に刳り抜き形成し、インクジェット・オフセット・スクリーン・パットのいずれかの印刷方式によって模様４を印刷する。さらに、熱硬化性樹脂材６は、透明なエポキシ樹脂とする。【選択図】図１
0003135934.tif 000002
【実用新案登録請求の範囲】
【請求項１】
合成樹脂製板から駒状に刳り抜かれると共に表面に所定の模様が印刷されてなる装飾体と、該装飾体を挿入する挿入孔を設けたアクセサリー本体とを備え、前記挿入孔に挿入されている装飾体は、当該装飾体の上から凸レンズ状に厚盛られるようにして挿入孔に充填される透明な熱硬化性樹脂材によって接着固定されてなることを特徴とするアクセサリー構造。
【請求項２】
装飾体は、アクリル板をカット装置により所定の外郭形状を呈する駒状に刳り抜き形成され、インクジェット・オフセット・スクリーン・パットのいずれかの印刷方式によって所定の模様が印刷されてなる請求項１記載のアクセサリー構造。
【請求項３】
熱硬化性樹脂材は、透明なエポキシ樹脂である請求項１または２記載のアクセサリー構造。
【請求項４】
アクセサリー本体の挿入孔への装飾体の挿入、および挿入孔への熱硬化性樹脂材の充填は、挿入孔の裏側を粘着テープで塞ぐことで行われるものとした請求項１乃至３のいずれか記載のアクセサリー構造。
【請求項５】
アクセサリー本体は所望の体裁、外郭形状の形態となって構成され、この所望の形態に関連対応したパターンの所定の模様が装飾体に表示構成される請求項１乃至４のいずれか記載のアクセサリー構造。
【請求項６】
アクリル板をカット装置により所定の外郭形状を呈する駒状に刳り抜かれると共に、インクジェット・オフセット・スクリーン・パットのいずれかの印刷方式によって表面に所定の模様が印刷されてなる装飾体と、該装飾体を挿入する挿入孔を設けたアクセサリー本体とを備え、挿入孔に挿入されている装飾体は、当該装飾体の上から凸レンズ状に厚盛られるようにして挿入孔に充填される透明なエポキシ樹脂により固着されてなることを特徴とするアクセサリー構造。
【考案の詳細な説明】
【技術分野】
【０００１】
本考案は、例えば携帯電話機・財布・バッグ・キーホルダー等の様々な携帯所持物品に取り付けられるのに好適なアクセサリー構造に関する。
【背景技術】
【０００２】
従来、この種のアクセサリー構造としては、図４に示すように、所望の外郭形状となっているアクセサリー本体１に、中間に環状段差部２ａを有する挿入孔２を穿設加工し、表面に所定の模様４が付されている透明な円形の装飾体３を、この挿入孔２の環状段差部２ａで支持するようにして挿入し、接着剤５で固定していた。
【特許文献１】特になし
【考案の開示】
【考案が解決しようとする課題】
【０００３】
しかしながら、このような従来の構造においては、アクセサリー本体１の挿入孔２に挿入された装飾体３を当該挿入孔２の内部で受けるために、環状段差部２ａを有する挿入孔２構造としなければならず、このような段差構造の挿入孔２自体の加工成形は非常に面倒である。また装飾体３は、挿入孔２の環状段差部２ａ周辺のみで接着剤５によって固定されているため、その固着力は非常に弱く、挿入孔２から簡単に外れてしまう虞がある。しかも装飾体３の表面に付されている所定の模様４が露出した状態となることから、当該模様４が外からの引っ掻きや摩擦等で傷付き、汚れ且つ薄れてしまうという問題点を有していた。
【０００４】
そこで、本考案は叙上のような従来存した諸事情に鑑み創案されたもので、アクセサリー本体に簡単な加工成形による段差がないストレートの挿入孔を形成しておき、挿入孔に配置する装飾体の表面に表示する所定の模様が露出しない状態となして強固に固定させておくことができるアクセサリー構造を提供することを目的とする。
【課題を解決するための手段】
【０００５】
上述した課題を解決するため、本考案にあっては、合成樹脂製板から駒状に刳り抜かれると共に表面に所定の模様４が印刷されてなる装飾体３と、該装飾体３を挿入する挿入孔２を設けたアクセサリー本体１とを備え、前記挿入孔２に挿入されている装飾体３は、当該装飾体３の上から凸レンズ状に厚盛られるようにして挿入孔２に充填される透明な熱硬化性樹脂材６により接着固定されてなるものである。
装飾体３は、アクリル板をカット装置Ｌにより所定の外郭形状を呈する駒状に刳り抜き形成され、インクジェット・オフセット・スクリーン・パットのいずれかの印刷方式によって所定の模様４が印刷されてなるものとすることができる。
熱硬化性樹脂材６は、透明なエポキシ樹脂であるものとし、アクセサリー本体１の挿入孔２への装飾体３の挿入、および挿入孔２への熱硬化性樹脂材６の充填は、挿入孔２の裏側を粘着テープＴで塞ぐことで行われるものとできる。
アクセサリー本体１は、例えば名所・旧蹟・観光名所等を表示したり、干支を表示したり等の所望の体裁、外郭形状の形態となって構成され、この所望の形態に関連対応したパターン、例えばクローバ・桜・桃・紅葉等の所定の模様が装飾体３に表示構成されるものとできる。
【０００６】
以上のように構成された本考案に係るアクセサリー構造にあって、挿入孔２に充填される透明な熱硬化性樹脂６は、挿入孔２に対し装飾体３を強固に固定させ、装飾体３における所定の模様４に対する保護膜を形成させる。
また、装飾体３の上から凸レンズ状に厚盛られるようにして挿入孔２に充填される熱硬化性樹脂材６は、装飾体３の所定の模様４に対するレンズ効果を現出させる。
【考案の効果】
【０００７】
本考案によれば、アクセサリー本体１に対して簡単な加工成形によるストレート状の挿入孔２に装飾体３を強固に固定させておくことができ、しかも装飾体３表面の所定の模様４が露出せず、十分に保護される状態となっている。
【０００８】
すなわち、これは本考案が、挿入孔２に挿入されている装飾体３は、当該装飾体３の上から凸レンズ状に厚盛られるようにして挿入孔２に充填される透明な熱硬化性樹脂６により接着固定されてなるからであり、これにより、装飾体３の表面における所定の模様４が露出しない状態となってアクセサリー本体１の挿入孔２に強固に固定できる。
【０００９】
しかも、装飾体３の上から凸レンズ状に厚盛られるようにして挿入孔２に充填される熱硬化性樹脂材６は、硬化後に装飾体３の模様４に対する保護膜となると同時に装飾体３の模様４に対するレンズ効果を発揮させ、当該模様４を拡大表示させるものとなる。
【００１０】
装飾体３は、アクリル板をカット装置Ｌにより所定の外郭形状を呈する駒状に刳り抜き形成され、インクジェット・オフセット・スクリーン・パットのいずれかの印刷方式によって模様４が印刷されてなるので、カラフルで綺麗な模様４を付した装飾体３を簡単に大量に製造することができる。
【００１１】
特に、プリンターを使用してのインクジェット印刷方式によれば、例えばパソコンで入力した複数の所定の各種の絵柄データを種々に変換することで個々に違った模様４の印刷を容易に行うことができる。例えば植物の花、葉等を表示するとき、それぞれに生じている僅かな相違を微妙に表現できるから、あたかも自然物のそれらをそのまま採取使用しているような印象を与え、興趣性に一層富むものとすることができる。
【００１２】
熱硬化性樹脂材６は、透明なエポキシ樹脂であるものとし、アクセサリー本体１の挿入孔２への装飾体３の挿入、および挿入孔２への熱硬化性樹脂材６の充填は、挿入孔２の裏側を粘着テープＴで塞ぐことで行われるので、挿入孔２の反対側から装飾体３が脱落したりあるいは熱硬化性樹脂材６が流れ込んだりせずに当該挿入孔２への装飾体３の固定が容易且つ確実に行える。
【００１３】
アクセサリー本体１は所望の体裁、外郭形状の形態となって構成され、この所望の形態に関連対応したパターンの所定の模様が装飾体３に表示構成されるので、例えば名所・旧蹟・観光名所等の形態を表示したり、干支の形態を表示したりするアクセサリー本体１とし、それらに関連する模様２として例えばクローバ・桜・桃・紅葉その他とすることで、その関連性と共に面白みに溢れた、一層の興趣性を増大できる。特に、観光名所等であれば、その地に特有な植物、動物等があるときに、そうした組合せとすることで、いわゆるご当地名物の特有な土産品として容易に製作できる。
【００１４】
また、アクセサリー本体１は、平板状の素材とする場合に限らず、立体的な素材を利用したものとすることも可能であり、例えば置物、家具類等として構成することも可能である。
【００１５】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１６】
以下、図面を参照して本考案を実施するための最良の一形態を説明する。図において示される符号１は、例えば携帯電話機・財布・バッグ・キーホルダー等の様々な携帯所持物品に取り付けられるアクセサリー本体である。
【００１７】
アクセサリー本体１は、例えば鉄製・皮革製・アルミダイキャスト製の素材によって形成され、例えば名所・旧蹟・観光名所等を表示したり、干支を表示したり等の所望の体裁、外郭形状の形態となって構成されている。すなわち図２（ａ）に示すように例えば広島の原爆ドームを模して造形されたり、あるいは図２（ｂ）に示すように例えば鼠・猿・龍等の干支を模して造形されたりして構成されている。また、アクセサリー本体１には、例えば２．５分鈴を取り付けた丸カン７を介してストラップＳの編紐状の根付け８が取り付けられている。
【００１８】
そしてアクセサリー本体１の例えば略中央には、ストレートな円形状の挿入孔２が穿設されており、この挿入孔２には、図１に示すように装飾体３が挿入固定される。この装飾体３は、例えば透明なアクリル板等の合成樹脂製板を例えばレーザーによるカット装置Ｌによって例えば円形の駒状に刳り抜かれ、インクジェット・オフセット・スクリーン・パットのいずれかの印刷方式によって、その表面に例えばクローバ（図２（ａ）参照）・桜（図２（ｂ）参照）・桃（図３（ａ）参照）・紅葉（図３（ｂ）参照）等のいずれかの天然性・自然性のあるカラフルなパターンによる所定の模様４が印刷されてなるものとしてある。
【００１９】
装飾体３自体の形状は図示のような円形に限らず、種々な外郭形状とすることができ、また、その模様は植物の花、実その他に限らず、動物等の自然界に存するものの絵柄であっても、抽象的・具象的な図形・文様、更には各種の文字例えば梵字等の文字であっても良く、特に限定されるものではない。また、これらの模様は、アクセサリー本体１における所望の外郭形状の採用と共に、その組合せによって、いわゆるご当地名物となるような独自の土産品として構成できるようにしてある。
【００２０】
そして、当該装飾体３の模様４の上から凸レンズ状に厚盛りされた状態でアクセサリー本体１の挿入孔２に充填される透明なエポキシ樹脂等の熱硬化性樹脂材６によりそれらの模様４が保護された状態で固着されている（図１（ｅ）参照）。もとより、熱硬化性樹脂材６は透明であるため、硬化した熱硬化性樹脂６材による固着後であっても装飾体３表面の模様４は挿入孔２の表裏の何れからでも透視できるものとなっている。
【００２１】
次に、以上のように構成された最良の形態についての組立の一例について説明する。図１（ａ）に示すように、例えば透明なアクリル板等の合成樹脂製板をレーザーによるカット装置Ｌを使って、例えば円形の駒状に刳り抜く。一方、図１（ｂ）に示すように、刳り抜かれた駒材の表面にインクジェット・オフセット・スクリーン・パットのいずれかの印刷方式によって例えばクローバ・桜・桃・紅葉等の各種の天然製・自然性を有するカラフルなパターンによる模様４を印刷することで装飾体３を形成する。尚、合成樹脂製板に対する刳り抜き加工前に、模様４を印刷表示することも可能である。
【００２２】
また、パソコンに接続されたプリンターを使用してのインクジェット印刷方式による場合は、パソコンで入力してある各種の絵柄データを種々に変換して印刷することで、同一の絵柄であっても微妙に相違するように設定することも可能であり、そうすることで個々に違った模様４の印刷として、天然のものであるようなイメージを与えるようにすることができる。
【００２３】
一方、図２に示すような例えば名所・旧蹟・観光名所等の著名地の体裁、外観を呈する形態として構成したり、あるいは干支を呈するような形態として構成したりしたアクセサリー本体１の例えば略中央には、装飾体３よりも好ましくは若干大きめのストレートにした、装飾体３の外郭形状に対応した外形状の挿入孔２を適当な工具の使用等で穿設しておく。
【００２４】
そして図１（ｃ）に示すように、この挿入孔２の開口反対側に粘着テープＴを貼って塞いでおき、挿入孔２の開口上側から、所定の模様４を印刷してある装飾体３を挿入する。挿入組合せに際し、アクセサリー本体１における体裁、外郭形状となっている形態に対応して、所定のパターンの模様４が印刷されている装飾体３を挿入孔２に挿入する。
【００２５】
次いで、図１（ｄ）に示すように、挿入孔２に透明なエポキシ樹脂等の熱硬化性樹脂材６を充填して装飾体３を挿入孔２内に固着する。このときの熱硬化性樹脂材６は、装飾体３の周囲の間隙を塞ぎ、模様４を保護するようにして挿入孔２の上から凸レンズ状に厚盛られる。その後、図１（ｅ）に示すように、熱硬化性樹脂材６の硬化後には、前記粘着テープＴをアクセサリー本体１から剥離する。
【００２６】
こうして形成されたアクセサリー本体１にはストラップＳが取り付けられることで製品とされ、例えば携帯電話機・財布・バッグ・キーホルダー等の様々な携帯所持物品に取り付けられて使用される。
【図面の簡単な説明】
【００２７】
【図１】本考案を実施するための最良の形態におけるアクセサリー本体の製造過程を示すもので、（ａ）はカット装置により合成樹脂製板から駒状に刳り抜いている状態の斜視図、（ｂ）は模様を印刷した状態の装飾体の斜視図、（ｃ）はアクセサリー本体における挿入孔を粘着テープで塞ぎ、装飾体を挿入する状態の要部断面図、（ｄ）は挿入孔に熱硬化性樹脂材を充填している状態の要部断面図、（ｅ）は熱硬化性樹脂材の硬化後に粘着テープを剥がした状態の要部断面図である。
【図２】アクセサリー構造の正面図であり、（ａ）は広島の原爆ドームに造形された場合の正面図、（ｂ）は干支の形態に造形された場合である。
【図３】（ａ）、（ｂ）それぞれは装飾体における模様の他の例を示す正面図である。
【図４】従来例におけるアクセサリー本体の要部断面図である。
【符号の説明】
【００２８】
Ｌ…カット装置                          Ｓ…ストラップ
Ｔ…粘着テープ
１…アクセサリー本体                    ２…挿入孔
２ａ…環状段差部                        ３…装飾体
４…模様                                ５…接着剤
６…熱硬化性樹脂材                      ７…丸カン
８…根付け
【図１】
0003135934.tif 000003
【図２】
0003135934.tif 000004
【図３】
0003135934.tif 000005
【図４】
0003135934.tif 000006